(57)【要約】【課題】トラップ排水路内を視認し易く、作業性の良い水洗式大便器を提供する。【解決手段】水洗式大便器は、便鉢部１０と、便鉢部１０の上端縁に連続して便鉢部１０よりも後方に拡がり、便鉢部１０よりも後方において上方に向けて開口した凹部２１が形成された上面部２０と、便鉢部１０の下流側に連通し、便鉢部１０よりも後方かつ上面部２０よりも下方に配置されたトラップ排水路３０と、トラップ排水路３０と凹部２１とを連通する連通路４０と、上面部２０よりも上方に突出せずに着脱自在に取り付けられて凹部２１内で連通路４０を開閉する蓋部材７０と、を備えている。【選択図】図３
2019138020.tif 000002
【特許請求の範囲】
【請求項１】
便鉢部と、
この便鉢部よりも後方に拡がり、前記便鉢部よりも後方において上方に向けて開口した凹部が形成された上面部と、
前記便鉢部の下流側に連通し、前記便鉢部よりも後方かつ前記上面部よりも下方に配置されたトラップ排水路と、
このトラップ排水路と前記凹部とを連通する連通路と、
前記上面部よりも上方に突出せずに着脱自在に取り付けられて前記凹部内で前記連通路を開閉する蓋部材と、
を備えていることを特徴とする水洗式大便器。
【請求項２】
前記蓋部材が取り付けられた状態で前記凹部は前記蓋部材の周囲の少なくとも２か所に前記蓋部材の外周縁との間に着脱用の空間が形成されていることを特徴とする請求項１に記載の水洗式大便器。
【請求項３】
上方から見た平面視において、前記凹部は四角形状であり、前記蓋部材は円形状であることを特徴とする請求項１又は２に記載の水洗式大便器。
【請求項４】
左右中央の後端上部において上流端が開口しており前記便鉢部に洗浄水を供給する通水路と、
前記通水路と前記連通路とを遮断し、前記通水路の一部と前記連通路の一部とを形成する遮断壁と、
を備えていることを特徴とする請求項１乃至３のいずれか１項に記載の水洗式大便器。
【請求項５】
前記遮断壁は洗浄水を下流側の流れ方向に案内する案内面を有していることを特徴とする請求項４に記載の水洗式大便器。
【請求項６】
前記案内面は前記通水路の上流端から前方に向けて流れる洗浄水を斜め左前方又は斜め右前方の少なくとも一方に向けて流れるように案内することを特徴とする請求項５記載の水洗式大便器。
【請求項７】
前記蓋部材は、
中央部に貫通孔が形成され、前記凹部に開口した前記連通路の上側開口の周縁部の上面に係止して着脱自在に取り付けられ、前記上側開口を開閉する蓋部と、
一方向に長く、中央部に螺子孔が形成され、前記上側開口の周縁部の下面に係止する係止部と、
前記蓋部の貫通孔を挿通し、前記係止部の螺子孔にねじ込まれる螺子部と、
を有しており、
前記上側開口よりも下方に延びる前記連通路は一方向の内寸法が前記係止部の長手方向の寸法よりも大きく、かつ他方向の内寸法が前記係止部の長手方向の寸法よりも小さいことを特徴とする請求項１乃至６のいずれか１項に記載の水洗式大便器。
【発明の詳細な説明】
【技術分野】
【０００１】
本発明は水洗式大便器に関するものである。
【背景技術】
【０００２】
特許文献１は従来の水洗式大便器を開示している。この水洗式大便器は、便鉢部、上面部、トラップ排水路、及び蓋部材を備えている。上面部は便鉢部の上端縁に連続して便鉢部よりも後方に拡がっている。トラップ排水路は、便鉢部の下流側に連通し、便鉢部よりも後方かつ上面部よりも下方に配置されている。また、トラップ排水路は上部側面に左右方向に貫通した連通孔が形成されている。蓋部材はトラップ排水路の上部側面に着脱自在に取り付けられて連通孔を開閉することができる。この水洗式大便器は、トラップ排水路内に異物が詰まった際、蓋部材をトラップ排水路の上部側面から取り外して連通孔を開放し、開放された連通孔を通してトラップ排水路内に詰まった異物を除去することができる。
【先行技術文献】
【特許文献】
【０００３】
【特許文献１】特開２０１３−１８９８１７号公報
【発明の概要】
【発明が解決しようとする課題】
【０００４】
しかし、特許文献１の水洗式大便器は、連通孔が便鉢部よりも後方かつ上面部よりも下方に配置されたトラップ排水路の上部側面に左右方向に貫通して形成されているため、排水路の上部側面から蓋部材を取り外して異物を除去する際に開放された連通孔を通してトラップ排水路内を覗き込みにくく作業性が悪い。
【０００５】
本発明は、上記従来の実情に鑑みてなされたものであって、トラップ排水路内を視認し易く、作業性の良い水洗式大便器を提供することを解決すべき課題としている。
【課題を解決するための手段】
【０００６】
本発明の水洗式大便器は、
便鉢部と、
この便鉢部よりも後方に拡がり、前記便鉢部よりも後方において上方に向けて開口した凹部が形成された上面部と、
前記便鉢部の下流側に連通し、前記便鉢部よりも後方かつ前記上面部よりも下方に配置されたトラップ排水路と、
このトラップ排水路と前記凹部とを連通する連通路と、
前記上面部よりも上方に突出せずに着脱自在に取り付けられて前記凹部内で前記連通路を開閉する蓋部材と、
を備えている。
【０００７】
この水洗式大便器は上面部に上方に向けて開口した凹部にトラップ排水路に連通した連通路が連通している。このため、この水洗式大便器は上方から凹部と連通路を介してトラップ排水路内を容易に視認することができる。よって、トラップ排水路内に異物が詰まった際等、連通路を閉鎖した蓋部材を取り外して連通路を開放し、水洗式大便器の上方からトラップ排水路内を視認しながら、異物を容易に除去することができる。なお、上下は使用する状態に配置された水洗式大便器に対する上下であり、前後は、便鉢部側が配置されている側が前であり、トラップ排水路が配置されている側が後ろである（以下、同じ。）。
【０００８】
したがって、本願発明の水洗式大便器はトラップ排水路内を視認し易く、作業性が良い。
【０００９】
また、この水洗式大便器は、連通路を閉鎖する蓋部材が上面部よりも上方に突出せずに取り付けられるため、便器洗浄装置や便座装置等の便器用装置を便鉢部より後方の上面部に取り付ける際に蓋部材に干渉しない。このため、この水洗式大便器は、便鉢部よりも後方の上面部の前後方向の寸法が狭くても、便鉢部よりも後方の上面部からトラップ排水路内を視認することができる構造を備えつつ、便器用装置を便鉢部より後方の上面部に取り付けることができる。
【図面の簡単な説明】
【００１０】
【図１】実施例１の水洗式大便器の斜視図である。
【図２】便座装置が取り付けられた状態の実施例１の水洗式大便器の側面図である。
【図３】便座装置が取り付けられた状態の実施例１の水洗式大便器の断面図である。
【図４】図３の要部拡大図である。
【図５】図３の矢視Ｘ−Ｘ断面図である。
【図６】図３の矢視Ｙ−Ｙ断面図である。
【図７】実施例１の水洗式大便器の平面図である。
【図８】実施例２の水洗式大便器の平面図である。
【図９】図８の矢視Ｙ−Ｙ断面図である。
【図１０】実施例１の水洗式大便器の上面部に後付け式便座装置の取付けプレートを固定した斜視図である。
【発明を実施するための形態】
【００１１】
本発明における好ましい実施の形態を説明する。
【００１２】
本発明の水洗式大便器において、前記蓋部材が取り付けられた状態で前記凹部は前記蓋部材の周囲の少なくとも２か所に前記蓋部材の外周縁との間に着脱用の空間が形成され得る。この場合、上方から見た平面視における凹部の面積が小さくても、各着脱用の空間を利用して蓋部材を凹部から指で摘み上げたり、指で摘まんだ蓋部材を凹部内の所定の位置へ配置したりすることができる。
【００１３】
本発明の水洗式大便器は、上方から見た平面視において、前記凹部は四角形状であり、前記蓋部材は円形状であり得る。この場合、平面視において四角形状の凹部のコーナー部分が円形状の蓋部材の外周縁との間隔が広くなる。このため、上方から見た平面視における凹部の面積が小さくても、この広くなった空間を利用して蓋部材を凹部から指で摘み上げたり、指で摘まんだ蓋部材を凹部内の所定の位置へ配置したりすることができる。なお、四角形状とは各コーナー部が円弧状に丸くなっている等の略四角形状も含まれる。また、円形状とは正円に限らず略円形状も含まれる。
【００１４】
本発明の水洗式大便器は、左右中央の後端上部において上流端が開口しており前記便鉢部に洗浄水を供給する通水路と、前記通水路と前記連通路とを遮断し、前記通水路の一部と前記連通路の一部とを形成する遮断壁と、を備え得る。この場合、遮断壁が通水路の一部と連通路の一部とを形成するため、狭い空間に通水路と連通路とを形成することができる。なお、左右は使用状態に配置された水洗式大便器に対して便鉢部の前方側から見た際の左右である（以下、同じ。）。
【００１５】
本発明の水洗式大便器の遮断壁は洗浄水を下流側の流れ方向に案内する案内面を有し得る。この場合、洗浄水が通水路内を流れる際の抵抗を軽減し、便鉢部に洗浄水を勢いよく流出させることができるため、便器洗浄を良好に行うことができる。
【００１６】
本発明の案内面は前記通水路の上流端から前方に向けて流れる洗浄水を斜め左前方又は斜め右前方の少なくとも一方に向けて流れるように案内し得る。この場合、便鉢部の左右の少なくとも一方に形成された吐水口に向けた流れを形成して、洗浄水が通水路内を流れる際の抵抗を軽減し、吐水口から便鉢部に洗浄水を勢いよく流出させることができるため、便器洗浄を良好に行うことができる。
【００１７】
本発明の水洗式大便器の蓋部材は、中央部に貫通孔が形成され、前記凹部に開口した前記連通路の上側開口の周縁部の上面に係止して着脱自在に取り付けられ、前記上側開口を開閉する蓋部と、一方向に長く、中央部に螺子孔が形成され、前記上側開口の周縁部の下面に係止する係止部と、前記蓋部の貫通孔を挿通し、前記係止部の螺子孔にねじ込まれる螺子部と、を有しており、前記上側開口よりも下方に延びる前記連通路は一方向の内寸法が前記係止部の長手方向の寸法よりも大きく、かつ他方向の内寸法が前記係止部の長手方向の寸法よりも小さくし得る。
【００１８】
この場合、蓋部材は、部品点数が少なく、かつ容易に着脱することができる。つまり、蓋部材を取り付ける際、蓋部と係止部とを螺子部によって連結し、蓋部と係止部との間隔を広く保った状態で係止部を上側開口の上方から上側開口より下方に伸びる連通路内に挿入する。そして、蓋部を上側開口の周縁部の上面に係止しつつ、係止部を上側開口の周縁部の下面に係止するまで螺子部を係止部にねじ込むように回転させる。このように、蓋部と係止部とによって上側開口の周縁部を挟み込むようにして蓋部材が取り付けられ、連通路を閉鎖することができる。一方、蓋部材を取り外す際、螺子部を係止部から緩めるように回転させる。そして、蓋部と係止部との間隔が広がった状態で係止部を上側開口から取り出して蓋部材を取り外すことができる。このように蓋部材を着脱するために螺子部を回転させる際、上側開口よりも下方に延びる連通路の他方向の内寸法が係止部の長手方向の寸法よりも小さいため、係止部が螺子部と供回りせず、螺子部を係止部にねじ込んだり緩めたりすることができる。よって、この蓋部材は容易に着脱することができる。また、この蓋部材は、係止部が螺子部と供回りしないようにする回り止め部材を蓋部材に設けなくてもよいため、少ない部品点数で構成することができる。
【００１９】
次に、本発明の水洗式大便器を具体化した実施例１及び２について、図面を参照しつつ説明する。
【００２０】
＜実施例１＞
実施例１の水洗式大便器は、図１〜図３に示すように、壁面Ｗに取り付けられる。この水洗式大便器は、便鉢部１０、上面部２０、トラップ排水路３０、連通路４０、遮断壁５０、通水路６０、蓋部材７０、及び側壁部８０を備えている。
便鉢部１０は上方に開口している。便鉢部１０は、上方から見た平面視において、前後方向に長い長円形状である（図７参照）。便鉢部１０は、図１及び図５に示すように、前後方向の中間部のやや後方寄りの左側内周面の上部に第１吐水口１１が形成されている。第１吐水口１１は前方向に開口しており、便鉢部１０の内周面に沿って前方向に洗浄水を吐水する。また、便鉢部１０は、図５に示すように、後部であり右側内周面の上部に第２吐水口１２が形成されている。第２吐水口１２は、左方向に開口しており、便鉢部１０の内周面に沿って左方向に洗浄水を吐水する。
【００２１】
上面部２０は、図１及び図７に示すように、便鉢部１０の上端縁に連続して便鉢部１０よりも後方に拡がり左右縁が平行に延びている。上面部２０は、図１〜図４，図６，及び図７に示すように、便鉢部１０の後方であって、左右方向の中央部に上方に向けて開口した凹部２１が形成されている。凹部２１は、図７に示すように、上方から見た平面視において略正方形状である。詳しくは、凹部２１の上端開口２１Ａ及び凹部２１の底面２１Ｂは、平面視において、前後方向に延びる２辺が上面部２０の左右縁と平行であり、左右方向に延びる２辺が上面部２０の後縁に平行である。この略正方形状の凹部２１の上端開口２１Ａ及び凹部２１の底面２１Ｂの各コーナー部は円弧状に丸くなっている。
【００２２】
また、凹部２１は底面２１Ｂの外周縁から上方向に延びる内側面が上方に向けて徐々に外側に拡がるように傾斜している。凹部２１の左右の内側面の傾斜角度は略同じである。また、凹部２１の後側の内側面の傾斜角度は左右の内側面の傾斜角度よりも緩やかである。また、凹部２１の前側の内側面の傾斜角度は左右の内側面の傾斜角度よりも急である。このように、各内側面が傾斜しているため、凹部２１の上端開口２１Ａは、凹部２１の底面２１Ｂよりも大きく、凹部２１の底面２１Ｂに対して後方にずれて位置している。
【００２３】
凹部２１は、図２〜図４に示すように、底面２１Ｂに連通路４０の上側開口４１が上下方向に貫通して形成されている。この上側開口４１は平面視において円形状である。連通路４０の上側開口４１は凹部２１の底面２１Ｂの後よりに形成されている。凹部２１の底面２１Ｂの一辺の長さは後述する蓋部７１の外径（蓋本体７２の外径）よりも僅かに大きい。蓋部７１は後端が凹部２１の底面２１Ｂの後辺に近接して凹部２１の底面２１Ｂに取り付けられる。
【００２４】
上面部２０は、凹部２１の左右両側に上下方向に貫通した一対の取付け孔２３が形成されている。この取付け孔２３に後述する便座装置９０の機能部９１から下方に突出する一対の取付けボルト９１Ａが挿通されて固定されることによって、便座装置９０は水洗式大便器の上面部２０に取り付けられる（図６参照）。
【００２５】
トラップ排水路３０は、図２及び図３に示すように、導入排水路３１、上昇排水路３３、上部排水路３５、下降排水路３７、及び連結排水路３９から構成されている。導入排水路３１は、上流端部が便鉢部１０の下流端部に連続し、斜め後方に向けて下降して延びている。便鉢部１０の下流端部は便鉢部１０の下端後部において下方向に開口している。導入排水路３１の下流端部は後方向に開口している。上昇排水路３３は、上流端部が導入排水路３１の下流端部に連続し、斜め後方に向けて上昇して延びている。上昇排水路３３の下流端部は上方向に開口している。上部排水路３５の上流端部は上昇排水路３３の下流端部に連続している。上部排水路３５は、上昇排水路３３の下流端部よりも前方に拡がり、且つ下降流路の上流端部よりも上方向に拡がっている。上部排水路３５は後部上面に連通路４０の下側開口４２が上下方向に貫通している。上部排水路３５の下流端部は後に向けて斜め下方向に開口している。下降排水路３７は、上流端部が上部排水路３５の下流端部に連続し、斜め後方に向けて下降して延びている。下降排水路３７の下流端部は後方向に開口している。連結排水路３９は、上流端部が下降排水路３７の下流端部に連続し、後方向に延びている。連結排水路３９の下流端部は、図示しない連結部材によって、壁面Ｗに引き出された排水管Ｄに排水が漏出しないように水密状に連結される。このように、トラップ排水路３０は便鉢部１０の下流側に連通している。
【００２６】
連通路４０は、図２〜図６に示すように、上下方向に延びて、上側開口４１及び下側開口４２を有している。上側開口４１は、上述したように、上面部２０に形成された凹部２１の底面２１Ｂに上下方向に貫通して形成されている。下側開口４２は、上述したように、上部排水路３５の後部上面に上下方向に貫通して形成されている。上側開口４１及び下側開口４２は、上下方向に延びる同一直線上に中心を有し、平面視において略同一径の円形状である。上側開口４１よりも下方であり下側開口４２よりも上方で上下方向に延びた連通路４０は、図５に示すように、内部空間の水平断面形状が前後方向に長く、前後方向の中間部より後方の左右間隔が徐々に小さくなる略長方形状である。また、この連通路４０の内部空間は、前後方向の中間部より前方の左右幅が上側開口４１及び下側開口４２の直径と略同じであり、前後幅は上側開口４１及び下側開口４２の直径よりも大きい。また、この連通路４０の内部空間は、左右幅が後述する蓋部材７０の係止部７５の長手方向の寸法よりも小さく、前後幅が係止部７５の長手方向の寸法よりも大きい。この連通路４０の左右及び後側の壁は、後述する遮断壁５０の左右壁５１，５２及び後壁５３によって形成されており、前側の壁は便鉢部１０の後部の一部分によって形成されている。このように、遮断壁５０は連通路４０の一部を形成している。
【００２７】
通水路６０は、図２，図３，図５，及び図６に示すように、水洗式大便器の左右中央の後端上部において上流端の流入部６１が後方に向けて開口している。通水路６０の流入部６１は、図示しない連結部材によって、壁面Ｗに引き出された洗浄水の供給管Ｉに洗浄水が漏出しないように水密状に連結される。この通水路６０は、図５に示すように、上流端から前方に延びた上流側通水路６２と、上流側通水路６２の下流端で分岐された左側通水路６３と右側通水路６５とを有している。通水路６０は、連通路４０を形成する遮断壁５０によって左側通水路６３と右側通水路６５とに分岐されている。つまり、遮断壁５０は通水路６０の一部を形成している。左側通水路６３は、遮断壁５０に沿って便鉢部１０の後部まで前方に延び、さらに便鉢部１０の後部から左側に沿って左方向から徐々に前方向に延びている。左側通水路の下流端は第１吐水口１１に連通している。右側通水路６５は、遮断壁５０に沿って便鉢部１０の後部まで前方に延び、さらに便鉢部１０の後部に沿って右方向に延び、右端部で折り返されている。右側通水路６５の下流端は第２吐水口１２に連通している。
【００２８】
遮断壁５０は左右壁５１，５２及び後壁５３を有している。遮断壁５０の後壁５３は上流側通水路６６２の下流端で左右方向に延びている。遮断壁５０の左右壁５１，５２は、後壁５３の左右端部に連続して前方に延びて便鉢部１０の後部に連続している。この左右壁５１，５２は、前後方向の中間部よりも後方が前方に向けて徐々に間隔を広げて延びている。また、この左右壁５１，５２は前後方向の中間部よりも前方が略平行に延びている。つまり、遮断壁５０は、左右壁５１，５２の前後方向の中間部よりも後方の通水路６０側の側面が、前方に向けて徐々に左右外方向に拡がるように傾斜している。この傾斜した面が、左側通水路６３において洗浄水を左前方に案内する案内面５１Ａを構成し、右側通水路６５において洗浄水を右前方に案内する案内面５２Ａを構成している。
【００２９】
蓋部材７０は、図３〜図６に示すように、蓋部７１、係止部７５、及び螺子部７７を有している。蓋部７１は、金属製の蓋本体７２と、合成ゴム製のパッキン７３とを具備している。蓋本体７２は、底面部７２Ａ、側面部７２Ｂ、鍔部７２Ｃ、及び折返し部７２Ｄから構成されている。底面部７２Ａは円盤状であり中央に貫通孔７２Ｈが形成されている。この貫通孔７２Ｈは、内径が後述する螺子部７７の螺子本体７８の軸部７８Ａの外径よりもわずかに大きく、螺子本体７８の頭部７８Ｂの外径よりも小さい。この貫通孔７２Ｈは、螺子本体７８の軸部７８Ａが挿通し、周縁部の上面に後述する螺子部７７のシールワッシャ７９を挟み込んだ状態で螺子本体７８の頭部７８Ｂが係止する。側面部７２Ｂは底面部７２Ａの外周縁から立ち上がった円筒状である。側面部７２Ｂの外径は水洗式大便器の上面部２０の凹部２１に形成された上側開口４１の径よりも僅かに小さい。鍔部７２Ｃは側面部７２Ｂの上端縁から外方向に拡がって所定の幅を有する円環状である。鍔部７２Ｃの外径は水洗式大便器の上面部２０の凹部２１に形成された上側開口４１の径よりも大きい。折返し部７２Ｄは鍔部７２Ｃの外周縁から下方に延びた円筒状である。折返し部７２Ｄの上下方向の寸法は、側面部７２Ｂの上下方向の寸法の半分よりも僅かに短い。パッキン７３は円環状であり、周方向に直交する断面形状が略四角形である。このパッキン７３は、内径が蓋本体７２の側面部７２Ｂの外径と略等しく、外径が蓋本体７２の折返し部７２Ｄの内径と略等しい。また、このパッキン７３は、蓋本体７２の側面部７２Ｂと折返し部７２Ｄとの間に嵌め込まれ、蓋本体７２の鍔部７２Ｃの下面に当接し、蓋本体７２の折返し部７２Ｄよりも下方に突出している。蓋部材７０を上側開口４１に取り付けた際、蓋部７１の上面（鍔部７２Ｃの上面）は凹部２１が形成されている上面部２０よりも下方に位置している。
【００３０】
係止部７５は金属製の長方形状の板材である。係止部７５は中央部に螺子孔７５Ｈが形成されている。この螺子孔７５Ｈは螺子部７７の螺子本体７８の軸部７８Ａがねじ込まれている。係止部７５は、長辺方向の長さが水洗式大便器の上面部２０の凹部２１に形成された上側開口４１の径よりも長く、短辺方向の長さが上側開口４１の径の約半分の長さである。また、前述したように、係止部７５の長手方向の寸法は、上端開口２１Ａよりも下方であり下側開口４２よりも上方で上下方向に延びた連通路４０の内部空間の左右幅よりも大きく、前後幅よりも小さい。
【００３１】
螺子部７７は、螺子本体７８と、合成ゴム製のシールワッシャ７９とを具備している。螺子本体７８は軸部７８Ａと頭部７８Ｂとから構成されている。シールワッシャ７９の内径は、螺子本体７８の軸部７８Ａの外径よりも僅かに大きく、螺子本体７８の頭部７８Ｂの外径よりも小さい。また、シールワッシャ７９の外径は螺子本体７８の頭部７８Ｂの外径よりも大きい。
【００３２】
この蓋部材７０は以下に説明するように組み立てられる。
先ず、パッキン７３が蓋本体７２の所定の位置に嵌め込まれた蓋部７１と、係止部７５と、シールワッシャ７９を螺子本体７８の軸部７８Ａに挿通した螺子部７７とを用意する。次に、シールワッシャ７９が蓋本体７２の底面部７２Ａの上面側に位置するように蓋本体７２の底面部７２Ａに形成された貫通孔に螺子本体７８の軸部７８Ａを挿通する。そして、螺子本体７８の軸部７８Ａを係止部７５にねじ込む。このようにして、蓋部７１と、係止部７５と、螺子部７７とを連結した後、螺子本体７８の軸部７８Ａの先端部に係止部７５が抜け落ちない加工をして蓋部材７０の組み立てを完了する。
【００３３】
この蓋部材７０は、以下に説明するように、上面部２０に形成された凹部２１の底面２１Ｂに上下方向に貫通して形成された上側開口４１に取付けられて連通路４０を閉鎖する。
まず、蓋部７１と係止部７５とが最も離れた状態になるように係止部７５に対して螺子部７７が緩められた蓋部材７０を用意する。この状態で係止部７５を上側開口４１の上方から上側開口４１より下方に伸びる連通路４０内に挿入する。そして、蓋部７１のパッキン７３の下面を上側開口４１の周縁部の上面に係止しつつ、係止部７５を上側開口４１の周縁部の下面に係止するまで螺子部７７を係止部７５にねじ込むように回転させる。このように、蓋部７１と係止部７５とによって上側開口４１の周縁部を挟み込んで蓋部材７０が取り付けられ、連通路４０を閉鎖することができる。図７に示すように、平面視における凹部２１の面積が小さく、蓋部７１の外周縁との隙間が小さくても、平面視において凹部２１が略四角形状であり、蓋部７１が円形状であるため、凹部２１の各コーナー部分が蓋部７１の外周縁との間隔が広がっている。つまり、蓋部７１の周囲の４カ所に蓋部７１の外周縁との間に着脱用の空間Ｓが形成されている、これら着脱用の空間Ｓを利用して、指で摘まんだ蓋部材７０を凹部２１内へ配置することができる。
【００３４】
この蓋部材７０は、以下に説明するように、上側開口４１から取り外されて連通路４０を開放する。
まず、螺子部７７を係止部７５から緩めるように回転させる。そして、蓋部７１と係止部７５との間隔が広がった状態で係止部７５を上側開口４１から取り出して蓋部材７０を取り外すことができる。この際も、蓋部７１の周囲の４カ所に形成された着脱用の空間Ｓ（凹部２１の各コーナ部分）を利用して、蓋部材７０を指で摘まみあげて凹部２１から蓋部材７０を取り出すことができる。
【００３５】
また、このように蓋部材７０を着脱するために螺子部７７を回転させる際、図５に示すように、上側開口４１よりも下方に延びる連通路４０の左右方向の内寸法が係止部７５の長手方向の寸法よりも小さいため、係止部７５が螺子部７７と供回りせず、螺子部７７を係止部７５にねじ込んだり緩めたりすることができる。
【００３６】
側壁部８０は、図１及び図２に示すように、便鉢部１０とトラップ排水路３０とを囲むように、上面部２０の外周縁から垂下し前端部から左右側方に連続している。トラップ排水路３０の下端部が僅かに側壁部８０の下端縁より下方に位置している。つまり、この水洗式大便器は、側壁部８０が前面から左右側面にかけて連続的に湾曲した曲面によって形成されているため、便鉢部１０とトラップ排水路３０のほとんどが外側から視認することができない。
【００３７】
また、この水洗式大便器は、図２及び図３に示すように、連通路４０を閉鎖する蓋部材７０が上面部２０よりも上方に突出せずに取り付けられ、便座装置９０の機能部９１が蓋部材７０に干渉させずに便鉢部１０より後方の上面部２０に取り付けられている。便座装置９０は機能部９１及び便座部９３を備えている。機能部９１は便座部９３を起立状態と倒伏状態に回動自在に軸支している。また、機能部９１は内部に図示しない局部洗浄機構や脱臭機構等が収納されている。便座部９３は倒伏状態で便鉢部１０の上方に位置する。
【００３８】
＜実施例２＞
実施例２の水洗式大便器は、図８及び図９に示すように、底面１２１Ｂに上側開口１４１が形成された凹部１２１が形成された位置が便鉢部１０の後方の上面部２０であって、左右方向の中央部よりも右側に形成されている点、それに伴って下側開口１４２がトラップ排水路３０の上部排水路３５の後部の右側面に開口し、連通路１４０が斜めに延びている点、及び遮断壁を備えていない点が実施例１と相違する。他の構成は実施例１と同様であり、同じ構成は同一の符号を付して詳細な説明を省略する。
【００３９】
凹部１２１は、上面部２０に形成された右側の取付孔２３よりも右側に上方に向けて開口している。この凹部１２１は、図８に示すように、上方から見た平面視において略正方形状である。凹部１２１の底面１２１Ｂの外周縁から上方向に延びる内側面が上方に向けて徐々に外側に拡がるように傾斜している。凹部１２１の左右前後の内側面の傾斜角度は略同じである。凹部１２１の上端開口１２１Ａは凹部１２１の底面１２１Ｂよりも大きく、凹部１２１の上端開口１２１Ａの中心と凹部１２１の底面１２１Ｂの中心は略同じである。凹部１２１の底面１２１Ｂに形成された上側開口１４１の中心は凹部１２１の底面１２１Ｂの中心と略同じである。凹部１２１の底面１２１Ｂの一辺の長さは蓋部７１の外径（蓋本体７２の外径）よりも僅かに大きい。
【００４０】
連通路１４０の下側開口１４２はトラップ排水路３０の上部排水路３５の後部の右側面に左右方向に開口して形成されている。連通路１４０は、上側開口１４１から左斜め下に形成された下側開口１４２に向けて傾斜して延びている。連通路１４０の上側開口１４１の直下における内部空間は、水平断面形状が左右方向に長く、前後方向に短い。連通路１４０の内部空間の前後幅は上側開口１４１及び下側開口１４２の直径と略同じであり、左右幅は上側開口１４１及び下側開口４２１の直径よりも大きい。つまり、連通路１４０の上側開口１４１の直下における内部空間は、前後幅が蓋部材７０の係止部７５の長手方向の寸法よりも小さく、左右幅が係止部７５の長手方向の寸法よりも大きい。
【００４１】
通水路１６０は、水洗式大便器の左右中央の後端上部において後方に向けて開口した上流端の流入部１６１から便鉢部１０の後部まで前方に延び、その下流端部で左右方向に分岐し、便鉢部１０の後部から左側に沿って左方向から徐々に前方向に延びた左側通水路（図示せず）と、便鉢部１０の後部に沿って右方向に延び、右端部で折り返された右側通水路（図示せず）とに連通している。左側通水路の下流端は第１吐水口１１に連通し、右側通水路の下流端は第２吐水口１２に連通している。
【００４２】
この水洗式大便器は、上面部２０に形成された凹部１２１の底面１２１Ｂに上下方向に貫通して形成された上側開口１４１に蓋部材７０を取り付けたり、上側開口１４１から蓋部材７０を取り外したりする際、上側開口１４１の直下における連通路１４０の前後方向の内寸法が係止部７５の長手方向の寸法よりも小さいため、係止部７５が螺子部７７と供回りせず、螺子部７７を係止部７５にねじ込んだり緩めたりすることができる。
【００４３】
以上説明したように実施例１及び２の水洗式大便器は、便鉢部１０、上面部２０、トラップ排水路３０、連通路４０，１４０、蓋部材７０を備えている。上面部２０は便鉢部１０の上端縁に連続して便鉢部１０よりも後方に拡がっている。また上面部２０は便鉢部１０よりも後方において上方に向けて開口した凹部２１，１２１が形成されている。トラップ排水路３０は、便鉢部１０の下流側に連通している。また、トラップ排水路３０は便鉢部１０よりも後方かつ上面部２０よりも下方に配置されている。連通路４０，１４０はトラップ排水路３０と凹部２１，１２１とを連通している。蓋部材７０は上面部２０よりも上方に突出せずに着脱自在に取り付けられて凹部２１，１２１内で連通路４０を開閉する。
【００４４】
このように、実施例１及び２の水洗式大便器は上面部２０に上方に向けて開口した凹部２１，１２１にトラップ排水路３０に連通した連通路４０，１４０が連通している。このため、この水洗式大便器は上方から凹部２１，１２１と連通路４０，１４０を介してトラップ排水路３０内を容易に視認することができる。よって、トラップ排水路３０内に異物が詰まった際等、連通路４０，１４０を閉鎖した蓋部材７０を取り外して連通路４０，１４０を開放し、水洗式大便器の上方からトラップ排水路３０内を視認しながら、異物を容易に除去することができる。
【００４５】
したがって、実施例１及び２の水洗式大便器はトラップ排水路３０内を視認し易く、作業性が良い。
【００４６】
また、実施例１及び２の水洗式大便器は、連通路４０，１４０を閉鎖する蓋部材７０が上面部２０よりも上方に突出せずに取り付けられるため、便座装置９０を便鉢部１０より後方の上面部２０に取り付ける際に蓋部材７０に干渉しない。このため、これら水洗式大便器は、便鉢部１０よりも後方の上面部２０の前後方向の寸法が狭くても、便鉢部１０よりも後方の上面部２０からトラップ排水路３０内を視認することができる構造を備えつつ、便座装置９０を便鉢部１０より後方の上面部２０に取り付けることができる。
【００４７】
また、実施例１及び２の水洗式大便器は、便鉢部１０とトラップ排水路３０とを囲むように、上面部２０の外周縁から垂下し前端部から左右側方に連続した側壁部８０が形成されているため、左右側面の意匠性をすっきりとしたものにすることができ、清掃を容易に行うことができる。
【００４８】
また、実施例１及び２の水洗式大便器は、上方から見た平面視において、凹部２１，１２１は四角形状であり、蓋部材７０は円形状である。このため、平面視において四角形状の凹部２１，１２１のコーナー部分が円形状の蓋部材７０の外周縁との間隔が広くなっている。つまり、蓋部材７０が取り付けられた状態で凹部２１は蓋部材７０の周囲の４か所に蓋部材７０の外周縁との間に着脱用の空間Ｓが形成されている。このため、上方から見た平面視における凹部２１，１２１の面積が小さくても、各着脱用の空間Ｓを利用して蓋部材７０を凹部２１，１２１から指で摘み上げたり、指で摘まんだ蓋部材７０を凹部２１，１２１内の所定の位置へ配置したりすることができる。
【００４９】
また、実施例１の水洗式大便器は、通水路６０と遮断壁５０とを備えている。通水路６０は左右中央の後端上部において上流端の流入部６１が後方に向けて開口しており便鉢部１０に洗浄水を供給する。遮断壁５０は、通水路６０と連通路４０とを遮断し、通水路６０の一部と連通路４０の一部とを形成している。このように、遮断壁５０が通水路６０の一部と連通路４０の一部とを形成するため、狭い空間に通水路６０と連通路４０とを形成することができる。
【００５０】
また、実施例１及び２の水洗式大便器の蓋部材７０は蓋部７１、係止部７５、及び螺子部７７を有している。蓋部７１は中央部に貫通孔７２Ｈが形成されている。また、蓋部７１は、凹部２１に開口した連通路４０，１４０の上側開口４１，１４１の周縁部の上面に係止して着脱自在に取り付けられ、上側開口４１，１４１を開閉する。係止部７５は、一方向に長く、中央部に螺子孔７５Ｈが形成されている。また、係止部７５は上側開口４１，１４１の周縁部の下面に係止する。螺子部７７は蓋部７１の貫通孔７２Ｈを挿通し、係止部７５の螺子孔７５Ｈにねじ込まれる。また、実施例１の水洗式大便器は、上側開口４１よりも下方に延びる連通路４０の内部空間の前後幅（前後方向の内寸法）が係止部７５の長手方向の寸法よりも大きく、かつ左右幅（左右方向の内寸法）が係止部７５の長手方向の寸法よりも小さい。また、実施例２の水洗式大便器は、連通路１４０の上側開口１４１の直下における内部空間の前後幅（前後方向の内寸法）が係止部７５の長手方向の寸法よりも小さく、左右幅(左右方向の内寸法)が係止部７５の長手方向の寸法よりも大きい。
【００５１】
この蓋部材７０は、部品点数が少なく、かつ容易に着脱することができる。つまり、蓋部材７０を取り付ける際、蓋部７１と係止部７５とを螺子部７７によって連結し、蓋部７１と係止部７５との間隔を広く保った状態で係止部７５を上側開口４１，１４１の上方から上側開口４１，１４１より下方に伸びる連通路４０，１４０内に挿入する。そして、蓋部７１を上側開口４１，１４１の周縁部の上面に係止しつつ、係止部７５を上側開口４１，１４１の周縁部の下面に係止するまで螺子部７７を係止部７５にねじ込むように回転させる。このように、蓋部７１と係止部７５とによって上側開口４１，１４１の周縁部を挟み込むようにして蓋部材７０が取り付けられ、連通路４０，１４０を閉鎖することができる。一方、蓋部材７０を取り外す際、螺子部７７を係止部７５から緩めるように回転させる。そして、蓋部７１と係止部７５との間隔が広がった状態で係止部７５を上側開口４１，１４１から取り出して蓋部材７０を取り外すことができる。このように蓋部材７０を着脱するために螺子部７７を回転させる際、上側開口４１，１４１よりも下方に延びる連通路４０，１４０の左右方向又は前後方向の内寸法が係止部７５の長手方向の寸法よりも小さいため、係止部７５が螺子部７７と供回りせず、螺子部７７を係止部７５にねじ込んだり緩めたりすることができる。よって、この蓋部材７０は容易に着脱することができる。また、この蓋部材７０は、係止部７５が螺子部７７と供回りしないようにする回り止め部材を蓋部材７０に設けなくてもよいため、少ない部品点数で構成することができる。
【００５２】
また、実施例１の水洗式大便器の遮断壁５０は通水路６０の上流端から前方に向けて流れる洗浄水を斜め左前方及び斜め右前方に向けて流れるように案内面５１Ａ，５２Ａを有している。このため、洗浄水が通水路６０内を流れる際の抵抗を軽減し、便鉢部１０に洗浄水を勢いよく流出させることができるため、便器洗浄を良好に行うことができる。このため、便鉢部１０の左右に形成された第１吐水口１１及び第２吐水口１２に向けた流れを形成して、洗浄水が通水路６０内を流れる際の抵抗を軽減し、第１吐水口１１及び第２吐水口１２から便鉢部１０に洗浄水を勢いよく流出させることができるため、便器洗浄を良好に行うことができる。
【００５３】
本発明は上記記述及び図面によって説明した実施例１及び２に限定されるものではなく、例えば次のような実施例も本発明の技術的範囲に含まれる。
（１）実施例１及び２では、上方から見た平面視において、凹部が略四角形状であり、蓋部材が円形状であることによって、凹部のコーナー部分の４カ所が着脱用の空間であったが、凹部及び蓋部材は他の形状でもよい。例えば、凹部及び蓋部材の形状が平面視で円形状であり、蓋部材に摘まみを設けてもよい。また、蓋部材の外周縁を少なくとも２か所凹ませて着脱用の空間を形成してもよい。
（２）実施例１では遮断壁が通水路の一部と連通路の一部とを形成したが、通水路と連通路とを別々に設けてもよい。
（３）実施例１では遮断壁が案内面を有していたが、遮断壁が案内面を有していなくてもよい。
（４）実施例１及び２では、蓋部材が蓋部、係止部、及び螺子部を有していたが、上側開口に着脱自在であれば蓋部材は他の構成であってもよい。
（５）実施例１及び２では便鉢部に第１吐水口と第２吐水口とが形成されていたが、便鉢部に洗浄水を吐水する吐水口が１個、又は３個以上形成してもよい。
（６）実施例１及び２では壁面に取り付けられる水洗式大便器であったが、床面に載置されて取り付けられる水洗式大便器であってもよい。
（７）実施例１及び２では、便鉢部より後方の上面部に便座装置を取り付けたが、便鉢部より後方の上面部に便器洗浄装置等を取り付けてもよい。
（８）実施例１及び２では、通水路の上流端の流入部が後方に向けて開口していたが、上方に向けて開口していてもよい。
（９）実施例１及び２では、上面部が便鉢部の上端縁と同じ高さで便鉢部よりも後方に拡がっていたが、便鉢部の上端縁よりも低い位置で便鉢部よりも後方に拡がっていてもよい。
【００５４】
（１０）実施例１の水洗式大便器の上面部２０に後付け式便座装置の取付けプレート１００を固定した斜視図を図１０に示す。図１０において、実施例１と同じ構成は同じ符号を付している。
後付け式便座装置（図示せず）は、局部洗浄装置等の機能装置を収納した収納ケース、収納ケースに軸支された便座及び便蓋を備えている。収納ケースは下面に取付けプレート１００に嵌合する嵌合凹部が形成されている。この便座装置は、収納ケースを水洗式大便器の上面部２０に沿って前方からスライドさせ、上面部２０に固定された取付けプレート１００に嵌合凹部を嵌合させることによって、水洗式大便器に着脱自在に取り付けられる。
取付けプレート１００は下方に突出する一対の取付けボルト（図示せず）を有している。この取付けボルトを水洗式大便器の上面部２０の凹部２１の左右両側に上下方向に貫通した一対の取付け孔に挿通して固定することによって、取付けプレート１００は水洗式大便器の上面部２０に固定されている。また、この取付けプレート１００は、水洗式大便器の上面部２０に固定された際に凹部２１が上方に向けて開放されるように、凹部２１の上端開口２１Ａに沿って前端縁が後方に凹んだ切欠き部１０１を有している。このため、取付けプレート１００を水洗式大便器の上面部２０に固定したままで蓋部材７０を着脱することができる。
【符号の説明】
【００５５】
１０…便鉢部
２０…上面部
２１，１２１…凹部
３０…トラップ排水路
４０，１４０…連通路
４１，１４１…上側開口
５０…遮断壁
５１Ａ，５２Ａ…案内面
６０，１６０…通水路
７０…蓋部材
７１…蓋部
７２Ｈ…貫通孔
７５…係止部
７５Ｈ…螺子孔
７７…螺子部
Ｓ…着脱用の空間
【図１】
2019138020.tif 000003
【図２】
2019138020.tif 000004
【図３】
2019138020.tif 000005
【図４】
2019138020.tif 000006
【図５】
2019138020.tif 000007
【図６】
2019138020.tif 000008
【図７】
2019138020.tif 000009
【図８】
2019138020.tif 000010
【図９】
2019138020.tif 000011
【図１０】
2019138020.tif 000012